(57)【要約】【課題】  合理的で、操作性がよく、通常のパラメータ調整の操作性を損なうことなく、パラメータ調整を簡単に行えるパラメータ設定装置を提供する。【解決手段】  パラメータ設定装置１は、操作対象が表示される画面上に設けられたセンサ２１と、このセンサ２１によりセンサ２１上での操作を検出して、操作対象のパラメータを第１の解像度で調整する第１調整手段２２と、センサ２１によりセンサ上から離れた位置での操作を検出して、操作対象のパラメータを第１の解像度とは異なる第２の解像度で調整する第２調整手段２３とを備えている。【選択図】  図２
2016081337.tif 000002
【特許請求の範囲】
【請求項１】
操作対象が表示される画面上に設けられたセンサと、
該センサにより、該センサ上での操作を検出して、前記操作対象のパラメータを調整する第１調整手段と、
該センサにより、該センサ上から離れた位置での操作を検出して、前記操作対象のパラメータを調整する第２調整手段とを備え、
前記第１調整手段と前記第２調整手段とでは、パラメータを調整する解像度が異なっていることを特徴とするパラメータ設定装置。
【請求項２】
前記第１調整手段からの第１出力と前記第２調整手段からの第２出力とに応じて、前記第１出力と前記第２出力とのいずれかを出力する切替手段を備えたことを特徴とする前記請求項１に記載のパラメータ設定装置。
【請求項３】
前記第１調整手段は、前記操作対象のパラメータを通常の解像度で調整し、前記第２調整手段は、前記操作対象のパラメータを微調整用の解像度で調整することを特徴とする前記請求項１または２に記載のパラメータ設定装置。
【請求項４】
前記センサはタッチパネルであることを特徴とする前記請求項１から３のいずれかに記載のパラメータ設定装置。
【発明の詳細な説明】
【技術分野】
【０００１】
この発明は、種々の電子機器のパラメータ値を容易に設定できるパラメータ設定装置に関する。
【背景技術】
【０００２】
近年、ミキサーやオーディオインタフェース（Ｉ／Ｆ）にタッチパネルが採用されており、このタッチパネルを使ってパラメータの値を調整するようにしている。この場合、通常の調整に加えて微調整ができるように、画像を大きくしたり、アナログ操作子を使わせるなどの対策が取られている。また、パラメータの値を設定可能な電子機器においては、通常の調整を行う通常画像とは別に微調整用の画像を表示するという対策もある。
特許文献１には、パラメータ表示と操作入力とが可能なタッチ式ディスプレイを備え、処理対象のアイコンにタッチしてノブを操作すると微調整することができ、当該アイコンにタッチせずにノブを操作すると粗調整することができるパラメータ設定装置が記載されている。また、特許文献２には、通常の分解能のスライダーＧＵＩ（Graphical User Interface）とは別に、分解能が小さい微調整用のスライダーＧＵＩを表示して微調整も行えるようにした設定値を変更可能な機器が記載されている。
【先行技術文献】
【特許文献】
【０００３】
【特許文献１】特開２０１３−１６２１７５号公報
【特許文献２】特開２０１３−１７８８４６号公報
【発明の概要】
【発明が解決しようとする課題】
【０００４】
上記したように、従来の微調整を行う構成では、微調整を優先した操作子の形状になっていたり、微調整用の操作子を別に必要としたりと、合理的でないと共に操作性が簡単ではないという問題点があった。
【０００５】
そこで、本発明は、合理的で、操作性がよく、通常のパラメータ調整の操作性を損なうことなく、パラメータ調整を簡単に行えるパラメータ設定装置を提供することを目的としている。
【課題を解決するための手段】
【０００６】
上記目的を達成するために、本発明のパラメータ設定装置は、操作対象が表示される画面上に設けられたセンサと、該センサにより、該センサ上での操作を検出して、前記操作対象のパラメータを調整する第１調整手段と、該センサにより、該センサ上から離れた位置での操作を検出して、前記操作対象のパラメータを調整する第２調整手段とを備え、前記第１調整手段と前記第２調整手段とでは、パラメータを調整する解像度が異なっていることを最も主要な特徴としている。
【発明の効果】
【０００７】
本発明のパラメータ設定装置では、操作対象が表示される画面上に設けられたセンサ上で操作することによるパラメータ調整の解像度と、センサ上から離れた位置で操作することによるパラメータ調整の解像度とを異なる解像度としている。これにより、通常の解像度によるパラメータ調整の操作性を損なうことなく、通常の解像度とは異なる解像度によるパラメータ調整を簡単に行えるようになり、パラメータ調整を簡単、迅速、正確、直観的に行うことができるようになる。
【図面の簡単な説明】
【０００８】
【図１】本発明の実施例のパラメータ設定装置の構成を示す機能ブロック図である。
【図２】本発明にかかるパラメータ設定装置の基本構成を示す機能ブロック図である。
【図３】本発明にかかるパラメータ設定装置の筐体のフローティング範囲を示す正面図、側面図、下面図である。
【図４】本発明にかかるパラメータ設定装置で実行されるタッチ検出処理のフローチャートである。
【図５】本発明にかかるパラメータ設定装置で実行されるタッチ終了検出処理のフローチャートである。
【図６】本発明にかかるパラメータ設定装置で実行されるスライド操作処理のフローチャートである。
【図７】本発明にかかるパラメータ設定装置で実行されるフローティング操作処理のフローチャートである。
【図８】本発明にかかるパラメータ設定装置の動作を示すタイミング図である。
【発明を実施するための形態】
【０００９】
本発明の実施例のパラメータ設定装置１の構成を示す機能ブロック図を図１に示す。
図１に示すパラメータ設定装置１は、ＣＰＵ（Central Processing Unit）１０，メモリ１１，Ｉ／Ｏ（Input/Output ）１２，タッチディスプレイ１３，操作子１４，ＤＳＰ（Digital Signal Processor）１５を備え、これらがバス１６によって接続されている。
ＣＰＵ１０は、パラメータ設定装置１の動作を統括制御する制御手段であり、メモリ１１に記憶されたパラメータ設定用の所要のプログラムを実行することにより、パラメータ設定処理などの処理を行う。メモリ１１には、ＣＰＵ１０が実行する動作ソフトウェアやタッチディスプレイ１３に表示する画像情報等が格納されているＲＯＭ（Read Only Memory）と、パラメータ設定装置１の設定データやＣＰＵ１０が実行した処理の結果等を一時的に記憶する、ＣＰＵ１０のワークメモリとして使用することができるＲＡＭ（Random Access Memory）とが含まれている。Ｉ／Ｏ１２は、外部とパラメータ設定装置１との間でデータをやりとりする入出力部である。タッチディスプレイ１３は、種々の画像を表示する液晶パネル（ＬＣＤ）等の表示手段と、タッチパネルとを備えている。そして、タッチパネルは、タッチを検出すると共に、後述するフローティング操作を検出するセンサを備えている。操作子１４は、パラメータ設定装置１に対するユーザの操作を受け付けるためのものであり、種々のキー、ボタン等や、タッチパネル等によって構成される。各操作子１４は所定のタイミング毎にスキャンされて、タッチパネルを含む各操作子１４のイベントが検出され、検出された各操作子１４のイベントはＣＰＵ１０により取り込まれ、操作子１４のユーザによる操作に応じた処理がＣＰＵ１０で実行される。ＤＳＰ１５は、音信号や画像などの信号処理に特化したマイクロプロセッサであり、ＣＰＵ１０の信号処理の一部をＣＰＵ１０に替えて行っている。
【００１０】
本発明にかかるパラメータ設定装置１の基本構成を示す機能ブロック図を図２に示す。
図２に示すパラメータ設定装置１は、操作対象が表示される画面上に設けられたセンサ２１と、このセンサ２１によりセンサ２１上での操作を検出して、操作対象のパラメータを第１の解像度で調整する第１調整手段２２と、センサ２１によりセンサ上から離れた位置での操作を検出して、操作対象のパラメータを第１の解像度とは異なる第２の解像度で調整する第２調整手段２３とを備えている。このセンサ２１上での操作を検出すると共に、センサ上から離れた位置での操作を検出するセンサ２１は、タッチディスプレイ１３に相当し、タッチディスプレイ１３は、直接タッチしたことを検知することができると共に、タッチディスプレイ１３に直接触れなくてもタッチディスプレイ１３上の指を検知することができるセンサを備えている。このセンサの出力をＣＰＵ１０が処理することにより、タッチディスプレイ１３に直接タッチしたこと、および、直接タッチして指を動かすスライド操作の移動量を検出できると共に、タッチディスプレイ１３に直接触れていないタッチディスプレイ１３上から離れた指を検出することができると共に、タッチディスプレイ１３上から離れた位置で指を動かすフローティング操作の移動量を検出することができる。そして、ＣＰＵ１０は、検出したスライド操作の移動量に応じて解像度が粗い通常の解像度でパラメータを調整し、検出したフローティング操作の移動量に応じて解像度が細かい微調整用の解像度でパラメータを調整する。このように、第１の解像度でパラメータを調整する第１調整手段２２と、第１の解像度とは異なる第２の解像度でパラメータを調整する第２調整手段２３とは、ＣＰＵ１０がパラメータ設定用の処理を実行することにより実現される。
【００１１】
本発明にかかるパラメータ設定装置１のフローティング範囲を図３に示す。パラメータ設定装置１におけるフローティング範囲を示す正面図を図３（ａ）に、その側面図を図３（ｂ）に、その下面図を図３（ｃ）に示す。
これらの図では、パラメータ設定装置１は厚さが薄い直方体状とされ、その正面にタッチディスプレイ１３が設けられているが、パラメータ設定装置１はこの形状に限ることはなく、また、タッチディスプレイ１３以外の構成は省略して示している。
図３（ａ）には、パラメータ設定装置１が備えるタッチディスプレイ１３の画面１３ａにパラメータを調整する操作子が表示された状態が示されている。ここでは、タッチディスプレイ１３の画面１３ａに５個のフェーダー３１ａ，３１ｂ，３１ｃ，３１ｄ，３１ｅの画像が表示されており、フェーダー３１ａ〜３１ｅには、操作用の摘み３２ａ，３２ｂ，３２ｃ，３２ｄ，３２ｅがそれぞれ設けられている。図示する例では、フェーダー３１ｃ上にユーザがタッチして、パラメータを調整するフェーダーとしてフェーダー３１ｃが選択された状態が示されている。画面１３ａに表示されたフェーダー３１ｃの画像にタッチすると、タッチした座標位置が、タッチディスプレイ１３が備えるセンサで検知され、その座標位置に表示されているフェーダー３１ｃが選択されたことをＣＰＵ１０が検出する。タッチすることで選択されたフェーダー３１ｃの画像は、選択されたことが視認できるように強調された表示や色彩・明度に変更された表示となる。ここで、フェーダー３１ｃの摘み３２ｃにタッチした状態で、表示されたフェーダー３１ｃの操作方向である上下方向に指をスライドすると、フェーダー３１ｃに割り当てられたパラメータの値がスライド量に応じて調整されるようになる。また、摘み３２ｃの画像も調整されたパラメータの値に応じて移動していくよう表示変更される。このように、スライド操作によりパラメータ値を調整する調整モードを通常調整モードと云い、スライド量に対するパラメータ値の解像度が粗い通常の解像度となる。すなわち、通常調整モードでは、パラメータ値を大きく変化させる場合に素早く調整することができる。
【００１２】
ここで、ユーザがフェーダー３１ｃから指を離す、すなわち、画面１３ａ上から指を離すと、画面１３ａ上から指が離れたことがタッチディスプレイ１３が備えるセンサにより検知され、通常調整モードから微調整モードに移行する。そして、微調整モードでは、このセンサとＣＰＵ１０により、タッチディスプレイ１３上から離れた位置で指を動かすフローティング操作の移動量を検知する。すなわち、表示されたフェーダー３１ｃの操作方向である上下方向に指を動かすフローティング操作を行うことにより、フェーダー３１ｃに割り当てられたパラメータの値がフローティング操作の移動量に応じて調整されるようになる。微調整モードにおけるフローティング操作の移動量に対するパラメータ値の解像度は細かい微調整用の解像度とされる。上記したフローティング操作は、センサが検出することのできる所定の範囲内で行われた時に、検出することができる。所定の範囲は、例えば、図３（ａ）〜（ｃ）に示すフローティング範囲Ｆとされる。フローティング範囲Ｆは、横幅がＷ、縦の長さがＬ、高さがＨの３次元（空間）の範囲とされ、主にセンサの感度により決定される。このため、図示するフローティング範囲Ｆは一例であって、タッチディスプレイ１３の品種等により異なるものである。例えば、図示するフローティング範囲Ｆでは隣接するフェーダーにかからない範囲とされているが、隣接するフェーダーにかかる範囲としても良い。
【００１３】
本発明にかかるパラメータ設定装置１においてＣＰＵ１０はパラメータ設定用の処理を実行するが、その処理におけるタッチ検出処理のフローチャートを図４に示す。
ユーザがタッチディスプレイ１３の画面１３ａ上にタッチしたことが検出されると、ＣＰＵ１０はタッチ検出処理をスタートし、ステップＳ１０にてＣＰＵ１０は、タッチされた時点において微調整モードとなっているか否かを判断する。微調整モード時には、微調整モードフラグが「１」にセットされているが、ここで、微調整モードフラグが「１」でＣＰＵ１０が微調整モードと判断（ＹＥＳ）した場合は、ステップＳ１１に進む。ステップＳ１１では、微調整モード時にタッチディスプレイ１３の画面１３ａ上にタッチしたことから通常調整モードに戻すように、ＣＰＵ１０は微調整モードフラグを「０」にして微調整モードを解除する。なお、微調整モードとなるには、その前に必ず画面１３ａ上にユーザが一度タッチしていることから、今回のタッチは、タッチディスプレイ１３の画面１３ａ上に再タッチしたことになる。また、微調整モードフラグが「０」でＣＰＵ１０がステップＳ１０で微調整モードになっていないと判断（ＮＯ）した場合は、タッチディスプレイ１３の画面１３ａ上にユーザが初めてタッチしたことになり、ステップＳ１１をスキップしてステップＳ１２にジャンプする。また、ステップＳ１１の処理が終了した時もステップＳ１２に進む。ステップＳ１２では、ユーザがタッチした位置の座標を検知して、ＣＰＵ１０は、その座標に表示されている対象を操作対象としてセットする。この場合、通常調整モードとなり、対象が図３に示すフェーダーとされている場合は、特定のフェーダーの摘み上にタッチした場合に、そのフェーダーを操作対象としてセットする。ステップＳ１２の処理が終了するとタッチ検出処理は終了する。
なお、現在セットされている操作対象とは異なる対象に再タッチされた場合は、ステップＳ１２において再タッチされた対象が操作対象と入れ替わり、今回の操作対象としてセットされるようになる。これにより、以降に行われるスライド処理等により入れ替わった操作対象のパラメータ値を調整できるようになる。
【００１４】
次に、本発明にかかるパラメータ設定装置１においてＣＰＵ１０が実行するパラメータ設定用の処理におけるタッチ終了検出処理のフローチャートを図５に示す。
タッチ操作の終了を検出した時、すなわち、タッチディスプレイ１３の画面１３ａ上から指が離れたことが検出された際に、ＣＰＵ１０はタッチ終了検出処理をスタートする。そして、ステップＳ２０にて操作対象のパラメータは微調整モードが有効なパラメータか否かをＣＰＵ１０が判断する。この場合、タッチ検出処理でセットされた操作対象が扱うパラメータがオンオフのパラメータではない時に、ＣＰＵ１０は微調整モードが有効なパラメータであるとしてＹＥＳと判断し、ステップＳ２１に進む。ステップＳ２１では、微調整モードフラグを「１」として微調整モードにセットする。次いで、ステップＳ２２では、微調整用範囲とされるフローティング範囲Ｆの空間をＣＰＵ１０がセットする。フローティング範囲Ｆは、センサが検出可能な任意の空間範囲にセットすることができるが、操作対象の周囲の空間に絞るのが好適とされる。また、ステップＳ２０でＣＰＵ１０が微調整モードが有効なパラメータではないと判断（ＮＯ）した場合は、ステップＳ２３に分岐して操作対象を解除する。ステップＳ２２あるいはステップＳ２３の処理が終了すると、タッチ終了検出処理は終了する。
【００１５】
次に、本発明にかかるパラメータ設定装置１においてＣＰＵ１０が実行するパラメータ設定用の処理におけるスライド操作処理のフローチャートを図６に示す。
通常調整モードにおいてスライド操作を検出した時に、ＣＰＵ１０はスライド操作処理をスタートする。スライド操作とは、タッチディスプレイ１３の画面１３ａへのタッチ操作中にタッチ位置を、操作対象の操作方向にずらす操作である。スライド操作処理がスタートすると、ステップＳ３０にて操作内容に応じて、ＣＰＵ１０が粗い分解能でパラメータの調整量を決定する。この場合、操作対象がフェーダー３１ｃとされている場合は、ＣＰＵ１０は、摘み３２ｃにタッチしている指を画面１３ａ上でスライドしたスライド量と、通常調整モードの粗い分解能とに基づいてパラメータの調整量を決定する。ステップＳ３１では、ステップＳ３０で決定された調整量だけ操作対象のパラメータの値を調整する。この場合、操作対象がフェーダー３１ｃとされている場合は、ＣＰＵ１０は、決定された調整量に応じて摘み３２ｃの表示位置を更新する表示更新処理も行う。ステップＳ３２の処理が終了すると、スライド操作処理は終了する。
【００１６】
次に、本発明にかかるパラメータ設定装置１においてＣＰＵ１０が実行するパラメータ設定用の処理におけるフローティング操作処理のフローチャートを図７に示す。
微調整モードにおいてフローティング操作を検出した時に、ＣＰＵ１０はフローティング操作処理をスタートする。フローティング操作とは、タッチディスプレイ１３の画面１３ａ上の離れた位置において、指を操作対象の操作方向にずらす操作である。フローティング操作処理がスタートすると、ステップＳ４０にてＣＰＵ１０は、フローティング操作が微調整範囲内で行われたか否かを判断する。ここで、ＣＰＵ１０が、タッチ終了検出処理のステップＳ２２でセットされた微調整範囲（フローティング範囲Ｆ）内でフローティング操作が行われたと判断（ＹＥＳ）した場合は、ステップＳ４１に進む。ステップＳ４１では、操作内容に応じて、ＣＰＵ１０が細かい分解能でパラメータの調整量を決定する。この場合、操作対象がフェーダー３１ｃとされている場合は、ＣＰＵ１０は、画面１３ａ上から離れている指を上下方向に動かした移動量と、微調整モードの細かい分解能とに基づいてパラメータの調整量を決定する。ステップＳ４２では、ステップＳ４１で決定された調整量だけ操作対象のパラメータの値を調整する。この場合、操作対象がフェーダー３１ｃとされている場合は、ＣＰＵ１０は、決定された調整量に応じて摘み３２ｃの表示位置を更新する表示更新処理も行う。
【００１７】
また、ステップＳ４０にてＣＰＵ１０が、微調整範囲（フローティング範囲Ｆ）内でフローティング操作が行われなかったと判断（ＮＯ）した場合は、ステップＳ４３に分岐する。ステップＳ４３では、所定時間以上にわたりフローティング操作が検出されない時（タイムアウトした時）は、現在のパラメータの値を保存して微調整モードフラグを「０」にして微調整モードを解除する。次いで、ステップＳ４４にて操作対象を解除する。ステップＳ４２あるいはステップＳ４４の処理が終了した際には、フローティング操作処理が終了する。なお、フローティング操作を終了するスイッチが用意されている場合は、フローティング操作を終了するスイッチが操作された際に、ステップＳ４３で微調整モードが解除される。
なお、ステップＳ４０において、ＮＯと判断された場合は、微調整用のフローティング操作が終了したと判断したことに等しいことになる。すなわち、フローティング操作の位置（操作する指の位置）が微調整用範囲（フローティング範囲Ｆ）からはずれたことを検出した時、微調整範囲（フローティング範囲Ｆ）内に指がないことを検出した時には、ＣＰＵ１０は、微調整用のフローティング操作が終了したと判断して、ステップＳ４０において、ＮＯと判断してステップＳ４３，Ｓ４４の終了のための処理を行う。
また、微調整用のフローティング操作が終了したことを判断する方法として他の方法を採用してもよい。例えば、パラメータを調整するためのフローティング操作（操作対象の操作方向に沿ったフローティング操作）以外の、他のフローティング操作を検出した時に、微調整用のフローティング操作が終了したと判断してもよい。いずれの方法でも、終了したことを検出した以降はステップＳ４３，Ｓ４４の処理を行う。
【００１８】
ところで、ユーザが微調整を終了したと認識した時でも、微調整用のフローティング操作が終了したとＣＰＵ１０が判断するまでに、画面１３ａ上の指が動く可能性がある。この時には、微調整後のパラメータ値が若干変動するおそれがある。そこで、微調整モードを解除する時には、微調整用のフローティング操作が終了したとＣＰＵ１０が判断するまでに変動したパラメータ値を戻すように、当該判断の少し前の時点において保存したパラメータ値を調整後のパラメータ値としてもよい。ただし、再タッチしたことを条件に微調整モードを解除する場合は、この限りではない。
【００１９】
本発明にかかるパラメータ設定装置１の動作を示すタイミング図を図８に示す。
図８に示すタイミング図において、タッチ検出部はタッチディスプレイ１３とＣＰＵ１０とにより構成され、タッチディスプレイ１３の画面１３ａにユーザがタッチしたことを検出すると共に、画面１３ａ上から離れている位置のユーザの指も検出している。時刻ｔ１まではユーザの指はタッチ検出部の検出外にあり、時刻ｔ１にタッチディスプレイ１３の画面１３ａに近づいていき、タッチ検出部は近づいたことを検出する。そして、時刻ｔ２にユーザの指が画面１３ａにタッチして、タッチ検出部はタッチしたことを検出する。これにより、通常調整モードとされて解像度は粗い通常の解像度が設定される。そして、時刻ｔ２からユーザはパラメータ値が一点鎖線で示す目標値になるようスライド操作を行うが、解像度が粗く調整量が敏感に動くため、調整量は目標値を超えたり戻ったりする。そこで、ユーザは調整量が目標値に近くなった時刻ｔ３において画面１３ａから指を離すと、タッチ検出部が指が離れたことを検出して微調整モードとなる。同時に、微調整モードフラグが「１」にセットされ、解像度は細かい微調整の解像度に設定される。そして、時刻ｔ３からユーザは調整量が目標値になるようフローティング操作を行う。この場合、解像度が細かく僅かに動くようになることから時刻ｔ４において調整量が目標値に合致するよう調整されることになる。そこで、ユーザは時刻ｔ４において指をさらに画面１３ａ上から離して検出部の検出外とする。この時、微調整モードフラグは「０」となり、解像度はリセットされる。また、他の対象のパラメータを続けて操作したい場合は、時刻ｔ４において他の対象に細タッチする。この場合は、タッチ検出部が再タッチしたことを検出して、前記したパラメータを調整する動作が他の対象のパラメータを操作対象として行われることになる。この場合、通常調整モードとされて解像度は粗い通常の解像度が設定される。
【産業上の利用可能性】
【００２０】
以上説明した本発明にかかるパラメータ設定装置では、フェーダーなる操作子でパラメータを調整する場合におけるパラメータ設定としたが、これに限ることはなく、回転型の操作子でパラメータを調整する場合に適用することができる。また、本発明にかかるパラメータ設定装置は、タッチ操作をあつかえる電子機器、例えば、タッチディスプレイ付きミキサなどの電子機器のパラメータ値設定に適用することができる。さらに、本発明にかかるパラメータ設定装置を、処理装置（ＣＰＵ）が実行するパラメータ設定用のプログラムで実現して、処理タッチディスプレイ付き端末上で動くミキサ用リモコンアプリやＤＡＷアプリに適用してもよい。
本発明にかかるパラメータ設定装置において、タッチディスプレイにおけるタッチパネルが備えるセンサは、画面へのタッチを検出できると共に、画面に直接触れなくても指を検知できる感度の高い、例えば静電容量式センサが用いられている。また、フローティング範囲Ｆとしては上述した決め方に限られず、フローティング操作を検出可能な範囲内であればどのような範囲を設定してもよい。この場合、操作対象となっている操作子の操作に対して合理的、効果的な範囲にすることが好ましい。
【符号の説明】
【００２１】
１  パラメータ設定装置、１０  ＣＰＵ、１１  メモリ、１２  Ｉ／Ｏ、１３  タッチディスプレイ、１３ａ  画面、１４  操作子、１５  ＤＳＰ、１６  バス、２１  センサ、２２  第１調整手段、２３  第２調整手段、３１ａ〜３１ｅ  フェーダー、３２ａ〜３２ｅ  摘み
【図１】
2016081337.tif 000003
【図２】
2016081337.tif 000004
【図３】
2016081337.tif 000005
【図４】
2016081337.tif 000006
【図５】
2016081337.tif 000007
【図６】
2016081337.tif 000008
【図７】
2016081337.tif 000009
【図８】
2016081337.tif 000010